(57)【要約】      （修正有）【課題】取り外し可能なドアー板を備えた接続式物置枠のドアー板の構造を提供する。【解決手段】接続式物置枠のドアー板の構造であって、一端に径方向に沿って少なくとも一つの嵌め溝２３が設けられる継ぎ目２０と、前記継ぎ目２０の前記嵌め溝２３に組み付けられて枢接孔３３が設けられてある連接塊３０と、隅角に前記連接塊３０の前記枢接孔３３に枢接される枢設部４１が設けられてある蓋４０とを備え、これによって蓋４０と連接塊３０は相対した枢動関係を生じることを特徴とするものである。【選択図】図３
0003146552.tif 000002
【実用新案登録請求の範囲】
【請求項１】
接続式物置枠のドアー板の構造であって、
継ぎ目と、継ぎ目に組み付けられて枢接孔が設けられてある連接塊と、隅角に連接塊の枢接孔に枢接される枢設部が設けられてある蓋とを備え、これによって蓋と連接塊は相対した枢動関係を生じることを特徴とする、接続式物置枠のドアー板の構造。
【請求項２】
前記蓋は枠筋及び隔て板から組み合わせられてなることを特徴とする、請求項１記載の接続式物置枠のドアー板の構造。
【請求項３】
前記継ぎ目には少なくとも一つの前記連接塊と同じ形状を備える嵌め溝が設けられ、前記連接塊は前記継ぎ目の嵌め溝に設けられ、前記嵌め溝は前記連接塊を堅固に結合する嵌め部を備え、前記連接塊は前記継ぎ目の外面から突き出さない貼り付け面を備えることを特徴とする、請求項１記載の接続式物置枠のドアー板の構造。
【考案の詳細な説明】
【技術分野】
【０００１】
本考案は接続式物置枠に係り、特に取り外し可能なドアー板を備えた接続式物置枠のドアー板の構造に関する。
【背景技術】
【０００２】
一般に周知される物置枠は継ぎ目を用いて複数個の枠板を縦、横方向に組み合わせ、予定枠型形態の物置枠に連結することができ、このような組み合わせからなる物置枠は口の開いた形態であるが、現在の消費者の物置枠に対するニーズ(needs)はますます高くなり、開口式物置枠もだんだん消費者に喜ばれなくなっている。
【０００３】
図10は従来の口開け式物置枠に旋回式ドアー板が取り付けられた構造を示すものである。図10に示すように、それの特徴は継ぎ目100の最少一側に枢設部101を備え、枢設部101は孔溝または軸柱の形態である。旋回式ドアー板102一側の二つの隅角には前述継ぎ目100の枢設部101と互いに枢設配合することができる枢接部103が設けられ、かつドアー板102の枢接部103が継ぎ目100の枢設部101の構造に合わして軸柱または孔溝の形態に設けられ、口開け式物置枠に組み付けられると、ドアー板102を取り付けることができなく、それの一部分を取り外してからドアー板102を取り付けることになるので、かなり不便であり、ドアー板102も順序によって組み付なければならず、かつドアー板102と枠板104の距離が近いので、ドアー板102と枠板104の隣接する側辺は干渉が起こりやすく、これら問題を早急に改善する必要がある。
【考案の開示】
【考案が解決しようとする課題】
【０００４】
本考案に係る『接続式物置枠のドアー板の構造』が解決しようとする技術問題は、従来構造のドアー板は順序によって組み付なければならず、組み立てが完了した物置枠に更にドアー板を取り付けることができず、かなり不便であるという点であり、この問題点を改善する必要がある。
【０００５】
そこで、本考案の主な目的は、取り外し可能なドアー板を備えた接続式物置枠のドアー板の構造を提供することにある。
【課題を解決するための手段】
【０００６】
上記課題を解決するために、本考案は接続式物置枠のドアー板の構造であって、一端に径方向に沿って最少一つの嵌め溝が設けられる継ぎ目と、前記継ぎ目の前記嵌め溝に組み付けられてなる枢接孔が設けられ、しかも枢接孔は嵌め溝の開口方向に向かっている連接塊と、隅角に前記連接塊の前記嵌め溝に枢接される枢設部が設けられてある蓋とを含み、これにより、前記蓋と前記連接塊は枢動関係を生じることができることを特徴とするものである。
【考案の効果】
【０００７】
本考案によれば、本考案は次のような効果がある。
１．本考案に係る『接続式物置枠のドアー板の構造』の蓋は組み立ての順序による必要がなく、組み立てられた接続式物置枠に直接取り付けることができる。
【０００８】
２．本考案に係る『接続式物置枠のドアー板の構造』の連接塊の設計は継ぎ目の型を変更することなく、直接部品を購入して取り付けることができる。
【０００９】
３．本考案に係る『接続式物置枠のドアー板の構造』の蓋と板の間の間隔は十分あるので、板との干渉が発生しない。
【考案を実施するための最良の形態】
【００１０】
本考案に採用される技術手段及び効能に関し、ここに好適な実施例を取り上げ、図面と合わして次のように詳細説明するが、それは説明に用いるだけで、実用新案登録請求の範囲に於いてはこの構造の制限を受けないものとする。
【００１１】
図１及び図２に示すように、本考案の接続式物置枠のドアー板の構造は複数枚の板10、複数個の継ぎ目20、二つの連接塊30及び蓋40を含み、複数枚の板10と複数個の継ぎ目20は開放型接続式物置枠に構成することができ、二つの連接塊30は同じ側辺の二つの継ぎ目20に設けられ、並びに蓋40の枢接に用いられる。
【００１２】
本実施例に於いて、板10は枠筋11及び隔て板12から構成され、もちろんそれは他の同じ効果のある設計に実施されてもよく、隔て板12の四つの側辺には取付溝を備え、枠筋11は四つの側辺の取付溝に取り付けられて四方形の板10に形成し、板10の各隅角にはそれぞれ挿接端13が形成される。
【００１３】
図２及び図３に示すように、継ぎ目20は八角形に現れる連接部21を備え、並びに連接部21の一端面から突き出して複数個の縦、横方向の定位溝22が形成され、定位溝22は板10の挿接端13の挿接固定に供され、連接部21は径方向に沿って四つに隔てられる三角形の嵌め溝23に設けられ、定位溝22と嵌め溝23内にはともに凹凸状に現れ、継ぎ目20が板10及び蓋40を挟む力を増やす嵌め部221、231が設けられ、並びに複数個の継ぎ目20及び複数枚の板10によって最小単位の収納空間50を構成することができ、収納空間50の一面には開口51が形成される。
【００１４】
図３乃至図６に示すように、連接塊30は継ぎ目20の嵌め溝23に堅固に嵌め付けることができ、連接塊30は概して嵌め溝23と形状が同じな三角形である。連接塊30には二つの結合面31を備え、結合面31は平面であり、かつ継ぎ目20には凹凸状に現れる嵌め部231を備え、それによって連接塊30が継ぎ目20に嵌め付けられた場合、連接塊30は安定堅固を維持することができる。連接塊30の嵌め溝23外に露出した部分は貼り付け面32であり、貼り付け面32は継ぎ目20の外部表面から突き出さなく、連接塊30の隣接する二つの継ぎ目20の一つの嵌め溝23方向に枢接孔33が設けられ、開口51個所の隣接する二つの継ぎ目20にそれぞれ連接塊30が嵌め付けられ、二つの連接塊30が隣接する二つの継ぎ目20の嵌め溝23に設けられた場合、二つの連接塊30の枢接孔33は互いに対向し、連接塊30は継ぎ目20の外部表面に設けることができる。
【００１５】
蓋40は収納空間50の開口51個所に取り付けられ、蓋40の一側辺の両隅角にはそれぞれ枢設部41が突き出し、それは蓋40が隣接する二つの継ぎ目20の連接塊30の枢接孔33に枢設することに用いられ、それによって蓋40はそれの一側辺に沿って枢動を生じることができ、更に進んで蓋40は選択的に収納空間50の開口51を蓋にすることができ、蓋40の四つの隅角にはそれぞれ継ぎ目20との干渉を防ぐ折り曲げ部42が形成され、蓋40の二つの枢設部41に反する二つの折り曲げ部42は継ぎ目20の嵌め溝23に少々嵌め付け定位し、それによって蓋40は収納空間50の開口51の遮蔽に定位することができ、もちろん他の蓋40の定位設計を使用し、並びに蓋40の連接塊30に異なる一側にドアー孔43を開設し、蓋40を開けることを便利にすることもできる。
【００１６】
図６及び図７を参照されたい。図７は本考案の使用状態図であり、板10と継ぎ目20は必要によって各種接続式物置枠と組み立てることができ、並びに継ぎ目20の嵌め溝23に連接塊23を取り付けて蓋40を組み付け、板10と蓋40は使用者のニーズによって長さや幅、または形状を変えることができ、かつ各種違った使用場所に適応するよう、必ずしも大きさの一定した収納空間50に構成しなくてもよい。
【００１７】
連接塊30を嵌め溝23内に設けて蓋40を枢接する設計により、継ぎ目20の型を変える必要がなく、連接塊30及び蓋40を買うだけで開放型接続式物置枠に設け加えることができ、新たに継ぎ目20を買う必要がなく、かつ連接塊30を嵌め溝23に取り付けると蓋40と板10の間隔が遠くなって干渉が起こらなくなり、かつ継ぎ目20の嵌め溝23は概して三角形に現れて蓋40の折り曲げ部42と組み合わせることができ、折り曲げ部42を彎曲状にする必要がない。
【００１８】
本考案の連接塊30及び蓋40は接続式物置枠が組み立てられた後から取り付けることができ、順序に合わして取り付ける必要がなく、かつ二つの連接塊30を隣接する別の二つの継ぎ目20の嵌め溝23に変えるだけで、随意に蓋40の開け方向を変更することができ、物置枠を取り外さなければ蓋40を取り付けることができない欠陥を克服することができる。
【００１９】
図８及び図９本考案の第二実施例を参照ください。第二実施例は第一実施例と概して同じであるが、それは蓋60を備え、蓋60は一体成型され、かつそれの一側辺の両隅角にそれぞれ枢接部61が突き出してあるので、本考案の板10と蓋60は枠の形態に限らない。
【００２０】
上述したのは本考案の最適実施例であるが、本考案の実施範囲を制限するものではなく、また数値の変更や同等効果の部品の入れ替え、さらに本考案の登録請求の範囲によって行った同等な変化や改修は、すべて本考案の登録請求の範疇に属するものとする。
【図面の簡単な説明】
【００２１】
【図１】本考案に係る接続式物置枠のドアー板の構造の立体外観図
【図２】本考案に係る接続式物置枠のドアー板の構造の立体分解図
【図３】本考案に係る接続式物置枠のドアー板の構造の局部拡大図
【図４】図１の断面線４−４に沿って取った断面図
【図５】本考案の連接塊、蓋と継ぎ目の組み合わせ構造を示す局部拡大図
【図６】本考案の蓋の作動状態の説明図
【図７】本考案の使用状態の説明図
【図８】本考案の第二実施例の断面図
【図９】本考案の第二実施例の局部拡大図
【図１０】従来の旋回式ドアー板の説明図
【符号の説明】
【００２２】
10      板
11      枠筋
12      隔て板
13      挿接端
20      継ぎ目
21      連接部
22      定位溝
221     嵌め部
23      嵌め溝
231     嵌め部
30      連接塊
31      結合面
32      貼り付け面
33      枢接孔
40      蓋
41      枢設部
42      折り曲げ部
43      ドアー孔
50      収納空間
51      開口
60      蓋
61      枢設部
（従来技術）
100     継ぎ目
101     枢設部
102     ドアー板
103     枢接部
104     枠板
【図１】
0003146552.tif 000003
【図２】
0003146552.tif 000004
【図３】
0003146552.tif 000005
【図４】
0003146552.tif 000006
【図５】
0003146552.tif 000007
【図６】
0003146552.tif 000008
【図７】
0003146552.tif 000009
【図８】
0003146552.tif 000010
【図９】
0003146552.tif 000011
【図１０】
0003146552.tif 000012